【手続補正書】
【提出日】平成15年11月7日(2003.11.7)
【手続補正１】
【補正対象書類名】明細書
【補正対象項目名】発明の名称
【補正方法】変更
【補正の内容】
【発明の名称】色領域検出回路と色領域検出方法およびそれを用いた撮像装置


【手続補正２】
【補正対象書類名】明細書
【補正対象項目名】特許請求の範囲
【補正方法】変更
【補正の内容】
【特許請求の範囲】
【請求項１】
輝度に影響されない第１の色情報ｘと第２の色情報ｙを用いて色領域を設定する領域設定手段と、
入力信号が上記色領域の範囲内であるか否かを検出して検出信号を生成する検出信号生成手段を有する
ことを特徴とする色領域検出回路。
【請求項２】
輝度信号Ｗと赤色信号Ｒと青色信号Ｂを用い、
上記第１の色情報ｘは
ｘ＝（Ｒ−Ｗ）／Ｗ
上記第２の色情報ｙは
ｙ＝（Ｂ−Ｗ）／Ｗ
として設定する
ことを特徴とする請求項１記載の色領域検出回路。
【請求項３】
上記領域設定手段では、上記第１の色情報ｘの基準色ｘ0と、上記第２の色情報ｙの基準色ｙ0と、上記第１の色情報ｘの領域範囲を示す検出しきい値ｘthと、上記第２の色情報ｙの領域範囲を示す検出しきい値ｙthを設定し、
上記検出信号生成手段では、上記基準色ｘ0，ｙ0と上記検出しきい値ｘth，ｙthと上記第１の色情報ｘと上記第２の色情報に上記輝度信号Ｗを乗算し、
【数１】
1997331543.tif 000001
の条件を満たすか否かに基づいて検出信号を生成する
ことを特徴とする請求項２記載の色領域検出回路。
【請求項４】
上記検出信号生成手段では、
上記第１の色情報ｘの領域範囲内であるか否かの検出と上記第２の色情報ｙの領域範囲内であるか否かの検出を時分割で行うものとし、
上記第１の色情報ｘと上記第２の色情報ｙに対する検出結果に基づいて検出信号を生成する
ことを特徴とする請求項１記載の色領域検出回路。
【請求項５】
輝度に影響されない第１の色情報ｘと第２の色情報ｙを用いて色領域を設定する領域設定ステップと、
入力信号が上記色領域の範囲内であるか否かを検出して検出信号を生成する検出信号生成ステップを有する
ことを特徴とする色領域検出方法。
【請求項６】
輝度信号Ｗと赤色信号Ｒと青色信号Ｂを用い、
上記第１の色情報ｘは
ｘ＝（Ｒ−Ｗ）／Ｗ
上記第２の色情報ｙは
ｙ＝（Ｂ−Ｗ）／Ｗ
として設定する
ことを特徴とする請求項５記載の色領域検出方法。
【請求項７】
上記領域設定ステップでは、上記第１の色情報ｘの基準色ｘ0と、上記第２の色情報ｙの基準色ｙ0と、上記第１の色情報ｘの領域範囲を示す検出しきい値ｘthと、上記第２の色情報ｙの領域範囲を示す検出しきい値ｙthを設定し、
上記検出信号生成ステップでは、上記基準色ｘ0，ｙ0と上記検出しきい値ｘth，ｙthと上記第１の色情報ｘと上記第２の色情報に上記輝度信号Ｗを乗算し、
【数２】
1997331543.tif 000002
の条件を満たすか否かに基づいて検出信号を生成する
ことを特徴とする請求項６記載の色領域検出方法。
【請求項８】
上記検出信号生成ステップでは、
上記第１の色情報ｘの領域範囲内であるか否かの検出と上記第２の色情報ｙの領域範囲内であるか否かの検出を時分割で行うものとし、
上記第１の色情報ｘと上記第２の色情報ｙに対する検出結果に基づいて検出信号を生成する
ことを特徴とする請求項５記載の色領域検出方法。
【請求項９】
輝度に影響されない第１の色情報ｘと第２の色情報ｙを用いて色領域を設定する領域設定手段と、
カラー撮像信号が上記色領域の範囲内であるか否かを検出して検出信号を生成する検出信号生成手段と、
撮影画像の補正を行うためのディテール信号を生成するディテール信号生成手段とを有し、
上記検出信号生成手段で生成された検出信号に基づいて上記ディテール信号生成手段で生成されるディテール信号の信号レベルを可変する
ことを特徴とする撮像装置。
【請求項１０】
上記カラー撮像信号に対して非線形レベル変換を含む信号処理を行い映像信号を生成する映像信号生成手段を有し、
上記領域設定手段で用いる上記第１の色情報ｘと上記第２の色情報ｙは、上記カラー撮像信号に基づいて生成された輝度信号Ｗと上記カラー撮像信号の赤色撮像信号Ｒと青色撮像信号Ｂを用いて、
第１の色情報    ｘ＝（Ｒ−Ｗ）／Ｗ
第２の色情報    ｙ＝（Ｂ−Ｗ）／Ｗ
として設定し、
上記映像信号生成手段で生成される映像信号は、輝度信号Ｙを有する
ことを特徴とする請求項９記載の撮像装置。
【請求項１１】
輝度に影響されない第１の色情報ｘと第２の色情報ｙを用いて色領域を設定する領域設定手段と、
カラー撮像信号が上記色領域の範囲内であるか否かを検出して検出信号を生成する検出信号生成手段と、
上記カラー撮像信号に対して色補正を行う色補正手段と、
上記色補正手段での色補正演算処理で用いられる係数を供給する係数供給手段を有し、
上記係数供給手段では、上記検出信号生成手段で生成された検出信号に基づいて係数を切り替えて上記色補正手段に供給する
ことを特徴とする撮像装置。
【請求項１２】
上記領域設定手段で用いる上記第１の色情報ｘと上記第２の色情報ｙは、上記カラー撮像信号に基づいて生成された輝度信号Ｗと上記カラー撮像信号の赤色撮像信号Ｒと青色撮像信号Ｂを用いて、
第１の色情報    ｘ＝（Ｒ−Ｗ）／Ｗ
第２の色情報    ｙ＝（Ｂ−Ｗ）／Ｗ
として設定する
ことを特徴とする請求項１１記載の撮像装置。
【請求項１３】
輝度に影響されない第１の色情報ｘと第２の色情報ｙを用いて色領域を設定する領域設定手段と、
カラー撮像信号が上記色領域の範囲内であるか否かを検出して検出信号を生成する検出信号生成手段と、
上記カラー撮像信号に基づいて撮像素子の出力信号レベルを制御するレベル制御手段とを有し、
上記レベル制御手段では、上記検出信号生成手段で生成された検出信号に基づいて上記カラー撮像信号を選択し、選択されたカラー撮像信号に基づいて上記撮像素子の出力信号レベルを制御する
ことを特徴とする撮像装置。
【請求項１４】
上記領域設定手段で用いる上記第１の色情報ｘと上記第２の色情報ｙは、上記カラー撮像信号に基づいて生成された輝度信号Ｗと上記カラー撮像信号の赤色撮像信号Ｒと青色撮像信号Ｂを用いて、
第１の色情報    ｘ＝（Ｒ−Ｗ）／Ｗ
第２の色情報    ｙ＝（Ｂ−Ｗ）／Ｗ
として設定する
ことを特徴とする請求項１３記載の撮像装置。
【請求項１５】
上記レベル制御手段は、撮像素子に入射される入射光の光量を制御するアイリスを有し、
上記選択されたカラー撮像信号に基づき上記アイリスを制御して、上記撮像素子の出力信号レベルを制御する
ことを特徴とする請求項１３記載の撮像装置。
【請求項１６】
上記レベル制御手段は、撮像素子の電荷蓄積時間を可変する電子シャッタを有し、
上記選択されたカラー撮像信号に基づき上記電子シャッタを制御して、上記撮像素子の出力信号レベルを制御する
ことを特徴とする請求項１３記載の撮像装置。
【手続補正３】
【補正対象書類名】明細書
【補正対象項目名】０００１
【補正方法】変更
【補正の内容】
【０００１】
【発明の属する技術分野】
この発明は、色領域検出回路と色領域検出方法およびそれを用いた撮像装置に関する。詳しくは、輝度に影響されない第１の色情報ｘと第２の色情報ｙを用いて色領域を設定し、この色領域の範囲内であるか否かを検出することにより、輝度に影響されることなく色領域検出を行うものである。また、色領域検出結果に基づき係数供給回路から色補正回路に色補正演算処理用の係数を切り替えて供給し、特定の色領域とこの色領域とは異なる領域のそれぞれの領域に応じた色補正を行ったり、例えばレベル制御手段で特定の色領域内とされたカラー撮像信号を選択し、このカラー撮像信号に基づいて撮像素子の出力信号レベルを制御するものである。


【手続補正４】
【補正対象書類名】明細書
【補正対象項目名】０００６
【補正方法】変更
【補正の内容】
【０００６】
そこで、この発明では、簡単な構成で精度良く特定の色領域を検出できる色領域検出回路と色領域検出方法およびそれを用いて撮影者の所望する撮影画像を容易に得ることができる撮像装置を提供するものである。


【手続補正５】
【補正対象書類名】明細書
【補正対象項目名】０００８
【補正方法】変更
【補正の内容】
【０００８】
また、領域設定手段では、第１の色情報ｘの基準色ｘ0と、第２の色情報ｙの基準色ｙ0と、第１の色情報ｘの領域範囲を示す検出しきい値ｘthと、第２の色情報ｙの領域範囲を示す検出しきい値ｙthを設定し、検出信号生成手段では、基準色ｘ0，ｙ0と検出しきい値ｘth，ｙthと第１の色情報ｘと第２の色情報に輝度信号Ｗを乗算し、数３の条件を満たすか否かに基づいて検出信号を生成するものである。
【手続補正６】
【補正対象書類名】明細書
【補正対象項目名】０００９
【補正方法】変更
【補正の内容】
【０００９】
【数３】
1997331543.tif 000003
【手続補正７】
【補正対象書類名】明細書
【補正対象項目名】００１０
【補正方法】変更
【補正の内容】
【００１０】
また、検出信号生成手段では、第１の色情報ｘの領域範囲内であるか否かの検出と第２の色情報ｙの領域範囲内であるか否かの検出を時分割で行い、第１の色情報ｘと第２の色情報ｙに対する検出結果に基づいて検出信号を生成するものである。
この発明に係る色領域検出方法は、輝度に影響されない第１の色情報ｘと第２の色情報ｙを用いて色領域を設定する領域設定ステップと、色領域の範囲内であるか否かを検出して検出信号を生成する検出信号生成ステップを有するものである。この第１の色情報ｘおよび第２の色情報ｙは、輝度信号Ｗと赤色信号Ｒと青色信号Ｂを用い、「ｘ＝（Ｒ−Ｗ）／Ｗ」、「ｙ＝（Ｂ−Ｗ）／Ｗ」として設定するものである。また、領域設定ステップでは、第１の色情報ｘの基準色ｘ0と、第２の色情報ｙの基準色ｙ0と、第１の色情報ｘの領域範囲を示す検出しきい値ｘthと、第２の色情報ｙの領域範囲を示す検出しきい値ｙthを設定し、検出信号生成ステップでは、基準色ｘ0，ｙ0と検出しきい値ｘth，ｙthと第１の色情報ｘと第２の色情報に輝度信号Ｗを乗算し、数４の条件を満たすか否かに基づいて検出信号を生成するものである。また、検出信号生成ステップでは、第１の色情報ｘの領域範囲内であるか否かの検出と第２の色情報ｙの領域範囲内であるか否かの検出を時分割で行い、第１の色情報ｘと第２の色情報ｙに対する検出結果に基づいて検出信号を生成するものである。
【手続補正８】
【補正対象書類名】明細書
【補正対象項目名】００１１
【補正方法】変更
【補正の内容】
【００１１】
【数４】
1997331543.tif 000004
【手続補正９】
【補正対象書類名】明細書
【補正対象項目名】００２８
【補正方法】変更
【補正の内容】
【００２８】
【数５】
1997331543.tif 000005
【手続補正１０】
【補正対象書類名】明細書
【補正対象項目名】００３０
【補正方法】変更
【補正の内容】
【００３０】
【数６】
1997331543.tif 000006
【手続補正１１】
【補正対象書類名】明細書
【補正対象項目名】００３２
【補正方法】変更
【補正の内容】
【００３２】
【数７】
1997331543.tif 000007
【手続補正１２】
【補正対象書類名】明細書
【補正対象項目名】００３４
【補正方法】変更
【補正の内容】
【００３４】
【数８】
1997331543.tif 000008
【手続補正１３】
【補正対象書類名】明細書
【補正対象項目名】００３６
【補正方法】変更
【補正の内容】
【００３６】
【数９】
1997331543.tif 000009
【手続補正１４】
【補正対象書類名】明細書
【補正対象項目名】００４２
【補正方法】変更
【補正の内容】
【００４２】
【数１０】
1997331543.tif 000010